(57)【要約】【課題】外部からの荷重を受けた際に被梱包物が変形および損傷することを防止できる内部保持材等を提供する【解決手段】内部保持材１は、段ボールシートで形成される。内部保持材１は、上下方向に貫通し、被梱包物２に比べて前後方向および左右方向のうち少なくとも何れか一方の寸法が小さい切り込み３を有し、被梱包物２に比べて上下方向の寸法が大きく、切り込み３に被梱包物２が嵌め込まれることによって被梱包物２を保持する保持部４を備える。【選択図】図１
2017001719.tif 000002
【特許請求の範囲】
【請求項１】
段ボールシートで形成され、
上下方向に貫通し、被梱包物に比べて前後方向および左右方向のうち少なくとも何れか一方の寸法が小さい切り込みを有し、
前記被梱包物に比べて上下方向の寸法が大きく、前記切り込みに前記被梱包物が嵌め込まれることによって前記被梱包物を保持する保持部を備える内部保持材。
【請求項２】
前記切り込みは、波状の前記被梱包物に合わせた波状の形状で、かつ前記被梱包物の波形の角度と異なる波形の角度を有する形状に形成される請求項１に記載の内部保持材。
【請求項３】
請求項１または請求項２に記載の内部保持材と、
段ボールシートによって前記内部保持材の形状および大きさに合わせて形成された、前記内部保持材を収納する外箱と、
を備える梱包装置。
【請求項４】
段ボールシートで形成され、前記内部保持材の下方に設けられる底面カバーを備え、
前記外箱は、前記内部保持材および前記底面カバーを収納する請求項３に記載の梱包装置。
【請求項５】
上下方向に積層された複数の前記内部保持材と、
段ボールシートで形成され、前記複数の前記内部保持材のうちの最下層の内部保持材の下方に設けられる最底面カバーと、
段ボールシートで形成され、前記複数の前記内部保持材のうちの隣接する内部保持材の間に設けられる仕切りカバーと、
を備え、
前記外箱は、前記複数の前記内部保持材、前記最底面カバーおよび前記仕切りカバーを収納する請求項３に記載の梱包装置。
【発明の詳細な説明】
【技術分野】
【０００１】
本発明は内部保持材およびこれを備えた梱包装置に関する。
【背景技術】
【０００２】
特許文献１に、梱包箱が記載されている。特許文献１に記載された梱包箱は、直方体形状の箱と区画部材とを備える。区画部材は、互いに直交する複数の仕切板によって形成される。区画部材を箱に収容することにより、収容室が形成される。収容室には、被梱包物が収容される。
【先行技術文献】
【特許文献】
【０００３】
【特許文献１】実用新案登録第３１７２７４５号公報
【発明の概要】
【発明が解決しようとする課題】
【０００４】
上記特許文献１に記載の梱包箱において、収容室は被梱包物に比べて広い。収容室の空間と被梱包物との間に隙間が形成される。例えば倉庫保管時あるいは物流時等に衝撃荷重を受けると、被梱包物は変形および損傷する可能性がある。
【０００５】
本発明は、上記のような課題を解決するためになされたものである。本発明の目的は、外部からの荷重を受けた際に被梱包物が変形および損傷することを防止できる内部保持材およびこれを備えた梱包装置を提供することである。
【課題を解決するための手段】
【０００６】
本発明に係る内部保持材は、段ボールシートで形成され、上下方向に貫通し、被梱包物に比べて前後方向および左右方向のうち少なくとも何れか一方の寸法が小さい切り込みを有し、被梱包物に比べて上下方向の寸法が大きく、切り込みに被梱包物が嵌め込まれることによって被梱包物を保持する保持部を備えるものである。
【０００７】
本発明に係る梱包装置は、内部保持材と、段ボールシートによって内部保持材の形状および大きさに合わせて形成された、内部保持材を収納する外箱と、を備えるものである。
【発明の効果】
【０００８】
本発明の内部保持材は、被梱包物に比べて前後方向および左右方向のうち少なくとも何れか一方の寸法が小さい切り込みを有する。被梱包物は、外部から荷重を受けた際に内部保持材からずれ落ちる可能性が少ない。このため内部保持材は、外部からの荷重を十分に吸収することができる。本発明によれば、外部からの荷重を受けた際に被梱包物が変形および損傷することを防止できる。
【図面の簡単な説明】
【０００９】
【図１】本発明の実施の形態１の内部保持材および被梱包物の斜視図である。
【図２】本発明の実施の形態１の内部保持材の上面図である。
【図３】本発明の実施の形態１の梱包形態における内部保持材および被梱包物の上面図である。
【図４】本発明の実施の形態１の梱包形態における内部保持材および被梱包物の前後方向に垂直な断面を模式的に示す図である。
【図５】本発明の実施の形態１の梱包形態における梱包装置の分解斜視図である。
【図６】本発明の実施の形態１の梱包装置による梱包完了状態を示す斜視図である。
【図７】本発明の実施の形態１の切り取り部を有する内部保持材の上面図である。
【図８】本発明の実施の形態１の切り取り部を有する内部保持材による梱包形態を示す上面図である。
【図９】本発明の実施の形態１の波状の被梱包物の波形の角度および波状の切り込みの波形の角度を示す上面図である。
【図１０】本発明の実施の形態２の梱包装置の前後方向に垂直な断面を模式的に示す図である。
【発明を実施するための形態】
【００１０】
以下、図面を参照して、本発明の実施の形態について説明する。尚、各図において同一部分または相当部分は、同一の符号を付して、重複する説明を省略する。
【００１１】
実施の形態１．
図１は、本発明の実施の形態１の内部保持材１および被梱包物２の斜視図である。被梱包物２は、例えば電子部品および機械部品である。被梱包物２は、例えば図１に示すように波状の形状である。被梱包物２は、例えば部材を長手方向と垂直な方向に積層して形成される製品である。
【００１２】
内部保持材１は、上下方向に対して厚みをもつ板状である。内部保持材１は、例えば長方形状である。内部保持材１は、段ボールシートによって形成される。なお内部保持材１は、長方形状でなくてもよい。
【００１３】
内部保持材１は、切り込み３を有する。切り込み３は、内部保持材１の上面から下面にかけて貫通している。切り込み３は、被梱包物２に比べて前後方向および左右方向のうち少なくとも何れか一方の寸法を小さくするように形成される。
【００１４】
切り込み３は、例えば波状の被梱包物２に合わせた波状の形状に形成される。切り込み３は、例えば切り込み３の長手方向を内部保持材１の左右方向とするように形成される。内部保持材１は、例えば複数の切り込み３を有する。複数の切り込み３は、例えば切り込み３の長手方向と垂直な方向に沿って配置される。本例において複数の切り込み３は、例えば前後方向に沿って配置される。
【００１５】
また内部保持材１は、保持部４を備える。保持部４は、切り込み３の周囲に形成される。保持部４の上下方向の寸法は、被梱包物２に比べて大きい。内部保持材１は、例えば複数枚の段ボールシートを上下方向に積層することによって形成される。保持部４の上下方向の寸法は、例えば複数枚の段ボールシートを積層することにより、被梱包物２に比べて大きくなる。
【００１６】
複数枚の段ボールシートによって内部保持材１を形成する際、例えば各段ボールシートに切り込み３が形成される。各段ボールシートは、例えば糊あるいはテープによって連結される。図２は内部保持材１の上面図である。段ボールシートの積層後において、切り込み３は、図２に示すように前後方向および左右方向に一致する。
【００１７】
次に、本発明の梱包形態について説明する。図３は、梱包形態における内部保持材１および被梱包物２の上面図である。複数の被梱包物２は、複数の切り込み３に嵌め込まれる。１つの切り込み３に対して、１つの被梱包物２が嵌め込まれる。複数の被梱包物２は、例えば順序良く切り込み３に嵌め込まれる。被梱包物２は、例えば内部保持材１の上面側から嵌め込まれる。
【００１８】
切り込み３は、被梱包物２に比べて前後方向および左右方向のうち少なくとも何れか一方の寸法を小さくするように形成される。被梱包物２は、図３に示すように切り込み３にしっかりと嵌め込まれる。被梱包物２が切り込み３に嵌め込まれると、保持部４は、変形する。変形した保持部４は、被梱包物２を保持する荷重を発生させる。保持部４は、被梱包物２を強く保持する。
【００１９】
図４は、梱包形態における内部保持材および被梱包物の前後方向に垂直な断面を模式的に示す図である。保持部４の上下方向寸法αは、被梱包物２の上下方向寸法βより大きい。被梱包物２の上面は、梱包形態において保持部４の上面よりも下方に位置する。また被梱包物２の下面は、梱包形態において保持部４の下面よりも上方に位置する。被梱包物２は、梱包形態において保持部４から上下方向にはみ出さない。
【００２０】
図５は、本実施の形態の梱包形態における梱包装置の分解斜視図である。外箱５は段ボールシートで形成される。外箱５の上縁部には、内フラップ５ａおよび外フラップ５ｂが形成される。外箱５の形状は、内部保持材１に合わせた形状である。また外箱５の大きさは、内部保持材１に合わせた大きさである。
【００２１】
外箱５には、１つあるいは複数の内部保持材１が収納される。内部保持材１は、図示していない被梱包物２を保持している。外箱５には、例えば図５に示すように３つの内部保持材１が収納される。３つの内部保持材１は、例えば上下方向に積層される。
【００２２】
上下方向に積層された内部保持材１は、例えばビニールシート６によって外部を覆われる。ビニールシート６は、例えばテープ７によって貼り合わせられる。複数の内部保持材１は、例えばビニールシート６およびテープ７によってまとめられる。これにより複数の内部保持材１は、例えば梱包装置を開梱する際に、まとめて外箱から取り出されやすくなる。
【００２３】
まとめられた複数の内部保持材１は、外箱５に収納される。内部保持材が外箱５に収納された後、内フラップ５ａが折りたたまれる。内フラップ５ａが折りたたまれた後、外フラップ５ｂが折りたたまれる。図６は、本実施の形態の梱包装置による梱包完了状態を示す斜視図である。外箱５は、例えばテープ８によって封かんされる。テープ８は、例えば外フラップ５ｂの継ぎ目に合わせて貼られる。外箱５を封かんすることにより、梱包装置による梱包が完了する。
【００２４】
本発明において、切り込み３は、被梱包物２に比べて前後方向および左右方向のうち少なくとも何れか一方の寸法を小さくするように形成される。被梱包物２は切り込み３にしっかり嵌め込まれる。保持部４は被梱包物２を強く保持する。外部からの荷重を受けた際に、被梱包物２が内部保持材１からずれおちる可能性が少ない。これにより、内部保持材１は外部からの荷重を十分に吸収することができる。本発明であれば、外部からの荷重を受けた際に被梱包物が変形および損傷することを防止できる。
【００２５】
本発明の梱包装置において、外箱５の形状は、内部保持材１に合わせた形状である。また外箱５の大きさは、内部保持材１に合わせた大きさである。これにより、内部保持材１は外箱５の中でガタつかない。また内部保持材１は、外箱５の外部から受けた荷重を十分に支持する。
【００２６】
梱包装置は、例えばトラックによる輸送あるいは積み下ろし等の荷扱い時に、外部からの衝撃荷重を受ける場合がある。また、例えば倉庫保管時のレンガ積み等によって、集中荷重が外箱５の中央に加わる場合がある。本発明であれば、内部保持材１は梱包装置の外部からの荷重を十分に支持する。これにより、外部からの荷重による外箱５の折れ、変形および損傷を防止することができる。
【００２７】
保持部４の上下方向寸法αは、被梱包物２の上下方向寸法βより大きい。被梱包物２は、梱包形態において保持部４から上下方向にはみ出さない。外部から上下方向の荷重は、被梱包物２に直接加わらない。これにより内部保持材１は、外部からの上下方向の荷重から被梱包物２を保護することができる。
【００２８】
図７は、切り取り部を有する内部保持材１の上面図である。例えば内部保持材１は、斜め切り取り部９を有する。斜め切り取り部９は、例えば内部保持材１の４隅に１つずつ形成される。なお斜め切り取り部９は、例えば内部保持材１の４隅のうちの１つ、２つ、あるいは３つに形成されるとしてもよい。
【００２９】
また内部保持材１は、例えば図７に示すように溝型切り取り部１０を有する構成としてもよい。溝型切り取り部１０は、例えば２つ形成される。溝型切り取り部１０は、例えば内部保持材１の前端中央部および後端中央部に１つずつ形成される。なお溝型切り取り部１０は、本例以外にも例えば内部保持材１の左端および右端等に形成されてもよい。また溝型切り取り部１０は本例の２つに限らず、例えば１つあるいは３つ以上形成されるとしてもよい。
【００３０】
図８は、切り取り部を有する内部保持材１による梱包形態を示す上面図である。被梱包物２は、内部保持材１の切り込み３に嵌め込まれる。内部保持材１は、例えば外箱５に収納される。斜め切り取り部９によって、内部保持材１と外箱５との間に空間が形成される。空間には、例えば図８に示すように乾燥材１１等の保護部材を入れることができる。これにより、被梱包物２の保護性をより向上させることができる。
【００３１】
同様に溝型切り取り部１０によって、内部保持材１と外箱５との間に空間が形成される。例えば梱包装置を開梱する際、作業者は空間に指等を入れることができる。作業者は、内部保持材１を指に引っ掛けて持ち上げることができる。作業者は、内部保持材１を容易に外箱５から取り出すことができる。
【００３２】
斜め切り取り部９および溝型切り取り部１０を複数形成することにより、内部保持材１と外箱５との間に空間が複数形成される。空間が複数形成されることにより、作業者は複数の位置に指を引っ掛けることができる。上記例であれば、作業性をより向上させることができる。
【００３３】
図９は、波状の被梱包物２の波形の角度および波状の切り込み３の波形の角度を示す上面図である。θ１は、波状の切り込み３の波形の角度である。θ２は、波状の被梱包物２の波形の角度である。例えばθ１は、θ２と異なる角度としてもよい。θ１は、例えばθ２に比べて小さい。θ１とθ２との差は例えば１０度である。これにより被梱包物２は、より確実に内部保持材１に保持される。本例であれば、被梱包物２が変形および損傷する可能性をより低減させることができる。
【００３４】
上記実施例において内部保持材１は、例えば複数枚の段ボールシートによって形成される。また本例の内部保持材１は、複数の切り込み３を有する。内部保持材１は本例以外にも、例えば１枚の段ボールシートから形成されてもよい。また切り込み３は、例えば複数ではなく１つのみとしてもよい。また被梱包物２および切り込み３の形状は、例えば直方体状の形状等、本例の波状以外の任意の形状としてもよい。
【００３５】
実施の形態２.
次に、本発明の実施の形態２について説明する。内部保持材１の構成は、実施の形態１と同様である。梱包形態において内部保持材１は、例えば実施の形態１と同様に外箱５に収納される。
【００３６】
図１０は、本実施の形態の梱包装置の前後方向に垂直な断面を模式的に示す図である。本実施の形態の梱包装置は、内部保持材１の下方に設けられる底面カバー１２を備える。底面カバー１２は、段ボールシートによって形成される。内部保持材１および底面カバーは外箱５に収納される。
【００３７】
外箱５は、底面内側に内フラップ５ａを有する。内フラップ５ａによる段差が、外箱５の底面内側に形成される。本例であれば底面カバー１２によって、段差による梱包への影響を減少させることができる。また底面カバー１２が下方からの荷重を吸収することにより、被梱包物２が変形および損傷する可能性をより低減させることができる。
【００３８】
また内部保持材１は、例えば図１０に示すように上下方向に２つ積層される。上層の内部保持材１の下方に、底面カバー１２が設けられる。同様に、下層の内部保持材１の下方に、底面カバー１２が設けられる。下層の内部保持材１の下方に設けられる底面カバー１２は、最底面カバーとして機能する。最底面カバーは、内フラップ５ａによる段差の影響を減少させる。また最底面カバーは、下方からの荷重を吸収する。
【００３９】
上層の内部保持材１と下層の内部保持材１の間に設けられる底面カバー１２は、仕切りカバーとして機能する。仕切りカバーは、仕切りカバーの上方の内部保持材１および被梱包物２の重さを支持する。これにより、仕切りカバーの下方の内部保持材１および被梱包物２の変形が防止される。同様に、仕切りカバーの下方の内部保持材１および被梱包物２の損傷が防止される。
【００４０】
上層の内部保持材１の切り込み３と下層の内部保持材１の切り込み３とは、前後左右方向に対して一致した位置となる。仕切りカバーを設けることにより、切り込み３の内部で被梱包物２同士が接触することを防止できる。
【００４１】
なお本例において、例えば３つ以上の複数の内部保持材１を上下方向に積層する構成としてもよい。底面カバー１２は、１つの内部保持材１に対して１つ設けられる。最下層の底面カバー１２は、最底面カバーとして機能する。隣接する内部保持材１の間に設けられる底面カバー１２は、仕切りカバーとして機能する。
【符号の説明】
【００４２】
１  内部保持材、  ２  被梱包物、  ３  切り込み、  ４  保持部、  ５  外箱、  ５ａ  内フラップ、  ５ｂ  外フラップ、  ６  ビニールシート、  ７  テープ、  ８  テープ、  ９  斜め切り取り部、  １０  溝型切り取り部、  １１  乾燥材、  １２  底面カバー
【図１】
2017001719.tif 000003
【図２】
2017001719.tif 000004
【図３】
2017001719.tif 000005
【図４】
2017001719.tif 000006
【図５】
2017001719.tif 000007
【図６】
2017001719.tif 000008
【図７】
2017001719.tif 000009
【図８】
2017001719.tif 000010
【図９】
2017001719.tif 000011
【図１０】
2017001719.tif 000012